(57)【要約】【課題】上面プレートに載置された複数のターゲットごとに、無線通信を行うことができるリーダライタ装置を提供すること。【解決手段】携帯端末１５０が載置される上面プレート１０１は、上面プレートに沿って複数列のアンテナコイル２０１が配置されている。ＮＦＣ制御回路２０２は、複数列のアンテナコイルを、携帯端末１５０のアンテナコイル２５１の位置を検出し、携帯端末１５０とＮＦＣ通信するために用いる。記憶部２０３は、ＮＦＣ用のアンテナコイル２５１の検出結果を、携帯端末１５０ごとに対応付けて記憶する。切替部２０４は、複数列のコイルを、ＮＦＣ通信に用いるかを切り替える。【選択図】図２
2014164745.tif 000002
【特許請求の範囲】
【請求項１】
ターゲットへ電磁誘導により電力を伝送し、前記ターゲットと通信を行うリーダライタ装置であって、
前記ターゲットを載置するための上面プレートと、
前記上面プレートと平行に配列された複数のコイルと、
前記複数のコイルを選択的に切替える切替部と、
前記切替部の切替え動作を制御して前記ターゲットが前記上面プレートに載置されているか否かを検出する無線通信制御部と、
前記無線通信制御部が検出した結果を前記複数のコイルのそれぞれに対応付けて記憶する記憶部と、を備え、
前記無線通信制御部は、前記記憶部に記憶された情報に基づいて前記ターゲットと行う通信を制御するリーダライタ装置。
【請求項２】
前記無線通信制御部は、前記ターゲットの無線通信用アンテナコイルの位置検出をするためのポーリング信号を前記複数列のコイルのそれぞれに対して順番に出力する請求項１記載のリーダライタ装置。
【発明の詳細な説明】
【技術分野】
【０００１】
本発明は、近距離無線機能を持つ複数の携帯機器に対して、近距離通信を行うリーダライタ装置に関する。
【背景技術】
【０００２】
例えば、特許文献１には、複数のアンテナコイルを切り替えて使用する技術が開示されている。特許文献２には複数のアンテナコイルを同時に使用する技術が開示されている。
【先行技術文献】
【特許文献】
【０００３】
【特許文献１】特開２００１−５２１２４号公報
【特許文献２】特開２００７−１７２４５１号公報
【発明の概要】
【発明が解決しようとする課題】
【０００４】
しかしながら、特許文献１の技術に関しては複数のアンテナコイルに対して対向機器となる機器（以下ターゲットと記載）との通信感度に応じてアンテナの切替を行うため、ターゲットは一つに制限される、という課題がある。
【０００５】
また、特許文献２の技術に関しては、一つの制御用ＣＰＵで複数のアンテナを使用して複数のターゲットとの通信及び同時処理ができるものの、ターゲットとアンテナは相対的に正対する必要があり、そのためターゲットの配置場所が複数のアンテナそれぞれにおいて制限されてしまう、という課題がある。
【０００６】
本発明の目的は、リーダライタ上に配置される複数台のターゲットの配置場所に関係なく、任意のターゲットとの間で近距離無線通信を行うことができるリーダライタを提供することである。
【課題を解決するための手段】
【０００７】
本発明のリーダライタ装置は、近距離無線通信機能を有する携帯端末との間で近距離無線通信を行うリーダライタ装置であって、前記携帯端末を載置するための上面プレートと、前記上面プレート上面もしくは背面と平行に配置された複数列のアンテナコイルと、前記複数列のアンテナコイルを、前記携帯端末との近距離無線通信に用いる無線通信制御部と、前記複数列のコイルを、無線通信に用いるアンテナのいずれかに切り替える切替部と、前記携帯端末の検出結果と、前記通信用アンテナの検出結果とを、前記携帯端末ごとに対応付けて記憶する記憶部と、を備えた構成を採る。
【発明の効果】
【０００８】
本発明は、リーダライタ上に配置される複数台のターゲットの配置場所に関係なく、任意のターゲットとの間で近距離無線通信を行うことができる。
【図面の簡単な説明】
【０００９】
【図１】本発明の実施の形態に係るリーダライタ装置に携帯端末が載置された状態の一例を示す外観図
【図２】本発明の実施の形態に係るリーダライタ装置および携帯端末の各構成例を示すブロック図
【図３】本発明の実施の形態に係るリーダライタ装置に携帯端末が載置された状態の一例を示す外観図
【図４】本発明の実施の形態に係るリーダライタ装置の動作例を示すフローチャート
【図５】本発明の実施の形態に係るリーダライタ装置、携帯端末、および外部機器の各構成例を示すブロック図
【図６】本発明の実施の形態に係るリーダライタ装置が記憶する検出結果情報の一例を示す図
【図７】本発明の実施の形態に係るリーダライタ装置が表示する検出結果情報の一例を示す図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、本発明の発明者らは、当業者が本実施の形態を十分に理解するために添付図面および以下の説明を提供するのであって、これらによって特許請求の範囲に記載の主題を限定することを意図するものではない。
【００１２】
図１は、本発明の実施の形態に係るリーダライタ装置１００、およびターゲットとしての携帯端末１５０の状態の一例を示す外観図である。
【００１３】
図１において、リーダライタ装置１００の上面を構成する上面プレート１０１上に、５つの携帯端末１５０ａ〜１５０ｅが載せられている。
なお、以下の説明において、単に「携帯端末１５０」と記す場合、特段の説明が無い限り「携帯端末１５０ａ〜１５０ｅのいずれか」を意味する。
【００１４】
本実施の形態の携帯端末は、携帯端末１５０を例とするが、携帯端末に限定されず、近距離無線通信を可能とする無線通信装置であればよい。
【００１５】
また、携帯端末１５０はＮＦＣ機能（近距離無線通信機能）を搭載している。よって、図１に示される状態の場合、リーダライタ装置１００は、電磁誘導効果を利用して携帯端末１５０のＮＦＣ用アンテナコイルに電力を供給する。これにより、リーダライタ装置１００と携帯端末１５０との間で、近距離無線通信（以下、「ＮＦＣ（Near Field Communication）通信」という）が行われる。
【００１６】
ＮＦＣ通信により、携帯端末１５０と、リーダライタ装置１００に接続される外部機器との間で種々の情報通信を行うことができる。
【００１７】
例えば、外部機器としてカーナビゲーション装置がリーダライタ装置１００に接続されている場合、携帯端末１５０で設定した目的地情報が、ＮＦＣ通信によってカーナビゲーション装置へ送信される。
【００１８】
これにより、携帯端末１５０を介して、カーナビゲーション装置の目的地の設定ができる。このように、携帯端末１５０は、リーダライタ装置１００を介して、リーダライタ装置１００に接続された外部機器と、様々な通信を行うことができる。
【００１９】
なお、携帯端末１５０と外部機器との間で行なわれるＮＦＣ通信の通信内容については詳細な説明を後述する。
【００２０】
ＮＦＣ通信では、１３．５６ＭＨｚの搬送波が使用され、アンテナコイルに発生する磁界を利用してデータの送受信を行う。よって、ＮＦＣでの通信を行うためには、上面プレートあるいは上面プレートの近傍に、１３．５６ＭＨｚの周波数の磁界を発生させるアンテナコイルを設けることが必要となる。
【００２１】
リーダライタ装置１００は、上面プレート１０１の上面または背面に平行に複数配置されるアンテナコイルのうち、後述の処理によって選択されたアンテナコイルを、通信用アンテナコイルとしても用いる。
【００２２】
図２は、リーダライタ装置１００および携帯端末１５０のそれぞれの内部構成の一例を示すブロック図である。
【００２３】
携帯端末１５０は、図２に示すように、近距離無線通信アンテナとしてのアンテナコイル２５１、共振回路２５２、ＮＦＣ制御回路２５３、および二次電池２５４を有する。
ここでは図の説明の便宜上、携帯端末１５０ａおよび１５０ｂが上面プレートに載置されている状態としたが、載置される携帯端末の数はこれに限定されない。
【００２４】
リーダライタ装置１００は、図２に示すように、携帯端末１５０（ターゲット）が載置される台である上面プレート１０１、近距離無線通信アンテナとしての複数のアンテナコイル２０１、無線通信制御部としてのＮＦＣ制御回路２０２、記憶部２０３、切替部２０４、電源回路２０５、および外部機器接続部２０６を有する。
【００２５】
ＮＦＣ制御回路２０２は、上面プレート１０１に置かれた携帯端末１５０のアンテナコイル２５１の位置を検出する。そして、ＮＦＣ制御回路２０２は、携帯端末１５０との間でＮＦＣ通信を実行する。
【００２６】
記憶部２０３は、携帯端末のアンテナコイル２５１の検出結果と、携帯端末を検出したアンテナコイル２０１の位置とを、前記携帯端末ごとに対応付けて記憶する。
【００２７】
切替部２０４は、複数のアンテナコイル２０１を適宜切り替えて、ＮＦＣ制御回路２０２が複数の携帯端末１５０のアンテナコイル２５１の位置をそれぞれ検出し、記憶部２０３が記憶する。このような構成により、リーダライタ装置１００は、複数の携帯端末１５０に記録されたデータを集中的に制御することができ、利便性が向上する。
【００２８】
電源回路２０５は、商用電源などの外部電源からリーダライタ装置１００に供給される電力を、リーダライタ装置１００で使用できる態様に変換する。
【００２９】
外部機器接続部２０６は、リーダライタ装置１００に接続される外部機器と、リーダライタ装置１００とを接続する。すなわち、外部機器は、外部機器接続部２０６を介して、ＮＦＣ制御回路２０２との間で双方向通信を行う。
【００３０】
図３は、リーダライタ装置１００の上面プレート１０１に複数の携帯端末１５０ａ〜１５０ｅが載せられた状態を示している。
【００３１】
図３において、破線は、上面プレート１０１上面もしくは背面に配置されるアンテナコイルの位置を示す。ただし、図３に示すアンテナコイルは、以下の説明を簡素化するために、アンテナコイル２０１を、２０１ａ１、２０１ａ２、２０１ａ３、２０１ａ４の４つからなるものとして以下に説明する。
【００３２】
ただし、その数は、上面プレート１０１の大きさまたはアンテナコイルによる携帯端末
の位置検出能力などを考慮して、適宜増減してもよい。
【００３３】
アンテナコイル２０１は、携帯端末とＮＦＣ通信を行うためのコイルである。アンテナコイル２０１は、プリント基板もしくはフレキシブルプリント基板に配置された銅箔パターンで形成される。
【００３４】
アンテナコイル２０１は、上面プレート１０１の上面もしくは背面に複数（図３では４つ）配列されて成る。そして、複数のコイル２０１ａ１〜２０１ａ４の端は、それぞれ、切替部２０４に接続される。
【００３５】
本実施の形態のリーダライタ装置１００は、図３に示す複数のアンテナコイル２０１のうちの一つを適宜選択的に切り替えて、それをＮＦＣ通信用アンテナコイルとして利用する。
【００３６】
ＮＦＣ制御回路２０２は、ＮＦＣ通信のターゲットとなる機器を検出するために、所定の期間ポーリングを行う。換言すれば、ＮＦＣ制御回路２０２は、上面プレート１０１に載置されている携帯端末１５０のＮＦＣ用のアンテナコイル２５１を検出するために、ポーリング信号を出力する。
【００３７】
ポーリング信号は、アンテナコイルの各コイルに対して、順次出力される。すなわち、ＮＦＣ制御回路２０２は、アンテナコイル２０１を構成する各コイルを順次切り替えて、ポーリング信号を出力する。
【００３８】
携帯端末１５０のＮＦＣ制御回路２５３は、リーダライタ装置１００からの１３．５６ＭＨｚの搬送波を負荷変調することで、レスポンスコマンドをアンテナコイル２５１を介して出力する。
【００３９】
リーダライタ装置１００は、そのレスポンスコマンドを、アンテナコイル２０１を介して受信し、ＮＦＣ制御回路２０２に送る。
【００４０】
ＮＦＣ制御回路２０２は、レスポンスコマンドを検出しない場合、リーダライタ装置１００上に携帯端末１５０が載置されていないと判定する。
【００４１】
以下、本実施の形態のリーダライタ装置１００の動作の一例について、図４を参照して説明する。なお、ここで説明する動作は、携帯端末１５０の検出から、ＮＦＣ通信の実施までの動作とする。
【００４２】
ステップＳ１０において、外部電源（例えば、商用電源や車両のバッテリ）からリーダライタ装置１００へ電力の供給が開始されると、電源回路２０５がその電力をリーダライタ装置１００で使用する態様に変換し、リーダライタ装置１００が起動する。
【００４３】
なお、リーダライタ装置１００は、外部電源の投入後、リーダライタ装置１００が備える手動スイッチ等の操作に基づいて起動される構成としてもよい。
【００４４】
ステップＳ１１において、ＮＦＣ制御回路２０２は、上面プレート１０１の面上におけるアンテナコイル２５１の位置の検出を行う。このとき、上述した通り、ＮＦＣ制御回路２０２は、ＮＦＣ通信のターゲットとなる機器を検出するため、アンテナコイル２０１を順次切り替えて所定の期間ポーリングを行う。
【００４５】
携帯端末１５０のＮＦＣ制御回路２５３は、リーダライタ装置１００から送られてくる
１３．５６ＭＨｚの搬送波を負荷変調することで、リーダライタ装置１００のリクエストコマンドに応じたレスポンスコマンドをＮＦＣ制御回路２０２へ送信する。
【００４６】
またこのとき、ＮＦＣ制御回路２５３は、レスポンスコマンドとともに、携帯端末１５０ごとに固有のＩＤ（以下、「ＮＦＣＩＤ」という。識別情報の一例）を、ＮＦＣ制御回路２０２へ送信する。そして、ＮＦＣ制御回路２０２は、レスポンスコマンドとＮＦＣＩＤを検出することで、アンテナコイル２５１の上面プレート１０１上の位置を検出する。
【００４７】
アンテナコイル２５１の位置を検出できた場合（ステップＳ１１：ＹＥＳ）、フローは、ステップＳ１２へ進む。アンテナコイル２５１の位置を検出できなかった場合（ステップＳ１１：ＮＯ）、フローは、ステップＳ１５へ進む。
【００４８】
ステップＳ１２において、ＮＦＣ制御回路２０２は、記憶部２０３に、アンテナコイル２５１を検出したアンテナコイル２０１とＮＦＣＩＤとを紐付けて記憶する。
【００４９】
このように、本実施の形態のリーダライタ装置１００は、携帯端末１５０のそれぞれについて、アンテナコイル２５１の検出結果とを紐付けて記憶するようにする。
【００５０】
このような情報は、後述するが、「検出結果情報」という。検出結果情報の記憶の態様については、図７を用いて後述する。
【００５１】
よって、本実施の形態のリーダライタ装置１００は、上面プレート１０１に載置された複数の携帯端末１５０ａ〜ｅごとに検出結果情報を記憶し、それに基づいて無線通信を行う。したがって、リーダライタ装置１００は、携帯端末１５０ａ〜ｅごとに独立して、無線通信を行うことができる。
【００５２】
ステップＳ１３において、ＮＦＣ制御回路２０２は、携帯端末１５０のＮＦＣ制御回路２５３との間で、ＮＦＣ通信を行う。ここでＮＦＣ通信が行われる携帯端末１５０は、ステップＳ１１で記憶したＮＦＣＩＤの携帯端末１５０である。
【００５３】
ステップＳ１４において、ＮＦＣ制御回路２０２は、ＮＦＣ通信が終了したか否かの判定を行う。
【００５４】
ＮＦＣ通信が終了していない場合（ステップＳ１４：ＮＯ）、ＮＦＣ制御回路２０２は、再び同じ判定を行う。すなわち、フローは、ステップＳ１４へ戻る。
【００５５】
ＮＦＣ通信が終了した場合（ステップＳ１４：ＹＥＳ）、フローは、ステップＳ１５へ進む。
【００５６】
この判定は、例えば、リーダライタ装置１００に接続される外部機器の操作部にてユーザが行った指示に基づく。
【００５７】
すなわち、ＮＦＣ制御回路２０２は、外部機器接続部２０６を介して、どの携帯端末１５０とＮＦＣ通信するのかについての指示を受け付けた場合、ＮＦＣ通信すべき携帯端末１５０があると判定する。
【００５８】
ステップＳ１５において、ＮＦＣ制御回路２０２は、ＮＦＣ通信要求が来たか否かを判定する。ＮＦＣ通信要求は、外部機器接続部２０６に接続される外部機器からの要求であり、リーダライタ装置１００に対して、携帯端末１５０とのＮＦＣ通信を要求する情報である。
【００５９】
ＮＦＣ通信要求が来た場合（ステップＳ１５：ＹＥＳ）、フローは、ステップＳ１６へ進む。ＮＦＣ通信要求が来ない場合（ステップＳ１５：ＮＯ）、フローは、ステップＳ１１へ進む。
【００６０】
ステップＳ１６〜ステップＳ１９は、上記ステップＳ１１〜ステップＳ１４と同様の動作である。よって、ここでの説明は省略する。
【００６１】
また、ステップＳ１５において、ＮＦＣ制御回路２０２がＮＦＣ通信のターゲットとなる機器を検出しなかった場合（ステップＳ１５：ＮＯ）、ＮＦＣ制御回路２０２は、外部機器接続部２０６を介して、外部機器に対し、ターゲットとなる機器が検出されていないといった情報を伝送してもよい。
【００６２】
以上のフローにより、リーダライタ装置１００は、上面プレート１０１に載置される任意の携帯端末１５０に対するＮＦＣ通信を実現できる。
【００６３】
次に、図５〜図７を用いて、本実施の形態のリーダライタ装置１００、携帯端末１５０、外部機器１１００の構成および動作の一例について、さらに説明する。
【００６４】
図５は、リーダライタ装置１００、携帯端末１５０およびリーダライタ装置１００に接続される外部機器１１００のブロック図を示す。
【００６５】
なお、図５において、リーダライタ装置１００および携帯端末１５０の各部については、図２を用いて説明済みであるため、ここでの説明は省略する。
【００６６】
図５において、外部機器１１００は、リーダライタ装置１００の外部機器接続部２０６を介してリーダライタ装置１００と電気的に接続される。
【００６７】
以下に説明する例では、外部機器１１００は、車輌（例えば、自動車など）の車室内において運転手が容易に操作できる位置に配置された電子機器（例えば、オーディオ、ディスプレイ、カーナビゲーションなど）であることを想定する。また、リーダライタ装置１００は、車輌の後部座席付近などのやや広めのスペースに配置されることを想定している。
【００６８】
外部機器１１００は、接続部１１１０、制御部１１２０、記憶部１１３０、操作部１１４０、および表示部１１５０を、少なくとも備える。
【００６９】
接続部１１１０は、リーダライタ装置１００との間で、各種信号を送受信する。制御部１１２０は、接続部１１１０を介して受信した信号の処理を行う。また、制御部１１２０は、外部機器１１００の各種制御も実行する。
【００７０】
記憶部１１３０は、制御部１１２０が実行する各種制御に必要なデータおよびソフトウェアプログラムを記憶する。
【００７１】
操作部１１４０は、ユーザの操作を受け付けるインターフェースである。本実施の形態において、操作部１１４０は、タッチパネルを想定する。操作部１１４０は、例えば、外部機器１１００の機能を実行させるための操作、または、外部機器１１００を経由したＮＦＣ通信を実行させるための操作などを受け付ける。
【００７２】
表示部１１５０は、ユーザに対して情報を表示するインターフェースである。本実施の
形態において、表示部１１５０は、液晶ディスプレイを想定する。表示部１１５０は、例えば、接続部１１１０を介して受信した信号に基づいて制御部１１２０が実行した結果、または、ユーザに対して操作を促すアイコンなどを表示する。
【００７３】
このような図５に示す構成において、図３に示すように複数の携帯端末１５０ａ〜１５０ｅが置かれ、リーダライタ装置１００が起動した場合、図４で説明したステップＳ１０〜Ｓ１９の処理が行われる。
【００７４】
ただし、本実施の形態において、図３に示す全ての携帯端末１５０ａ〜１５０ｅは、ＮＦＣアンテナ２５１（ＮＦＣ通信機能を含む）を備えているものとする。
【００７５】
また、１５０ａ〜１５０ｅは、それぞれ、ＮＦＣＩＤ（携帯端末固有のＩＤ）を有する。例えば、携帯端末１５０ａはＩＤ１を、携帯端末１５０ｂはＩＤ２を、携帯端末１５０ｃはＩＤ３を、携帯端末１５０ｄはＩＤ４を、携帯端末１５０ｅはＩＤ５を、それぞれ備えているものとする。
【００７６】
図６は、図４のステップＳ１１〜Ｓ１４までの処理によって得られた情報が記憶されるときの一形態を示すデータテーブルである。以下、図６について説明する。
【００７７】
例えば、図３に示すようにアンテナコイル２０１ａ１が、携帯端末１５０ａのＮＦＣ用のアンテナコイル２５１を検出すると、図６に示すように、携帯端末１５０ａの欄に、ＮＦＣＩＤ（図中のＩＤ１）が記憶される。なお、ＮＦＣ用のアンテナコイル２５１を検出したアンテナコイル２０１も併せて記憶される。
【００７８】
これと同様にして、アンテナコイル２０１ａ２〜２０１ａ４が検出した結果も、図６に示すように記憶される。
【００７９】
このように、リーダライタ装置１００は、携帯端末１５０ごとに、アンテナコイル２０１の検出結果と、ＮＦＣＩＤとを対応付けて記憶する。
ただし、図６において、携帯端末１５０を示す各符号１５０ａ〜１５０ｅの表記は、説明の便宜上記載したものである。
【００８０】
例えば図６に示すように記憶された情報（以下、「検出結果情報」という）は、接続部１１１０を介して外部機器１１００にも入力される。そして、記憶部１１３０は、入力された検出結果情報を記憶する。その後、制御部１１２０は、記憶部１１３０から検出結果情報を読み出して、表示部１１５０に表示する。
【００８１】
図７は、表示部１１５０における検出結果情報の表示例を示す図である。図７において、表示部１１５０は、携帯端末１５０ごとのＮＦＣＩＤに対応したアイコン１３０１〜１３０４を表示する。アイコン１３０１〜１３０４のそれぞれには、ＮＦＣボタン１３０１ｎから１３０４ｎとが表示される。
【００８２】
例えば、携帯端末１５０ｃのＮＦＣ用のアンテナコイル２５１が検出されなかった場合、ＮＦＣＩＤは取得されず、記憶されない。
【００８３】
そのため、表示部１１５０は、ＩＤ３のアイコン１３０３において、ＮＦＣボタン１３０３ｎを表示しない、または、表示内容を変化させる（例えば、充電ボタン１３０３nの色をグレーアウトするなど）。または、表示部１１５０は、ＮＦＣボタン１３０３ｎの文字を変化させて表示するようにしてもよい。
【００８４】
また、例えば、各アイコン１３０１〜１３０４が表示されているとき、ユーザが所望のアイコンのＮＦＣボタンをタッチした場合、リーダライタ装置１００は、以下のように動作してもよい。
【００８５】
すなわち、リーダライタ装置１００は、外部機器１１００からタッチ操作の内容（どの携帯端末に対し、ＮＦＣ通信が指示されたか）を示す情報を受信する。そして、リーダライタ装置１００は、受信した情報に基づいて、対応する携帯端末のＮＦＣ通信動作を開始する。
【００８６】
また、例えば、各アイコン１３０１〜１３０４が表示されているとき、ユーザが、アイコン１３０４のＮＦＣボタン１３０４ｎをタッチした場合、リーダライタ装置１００は、携帯端末１５０ｅに対して図４のステップＳ１５以降の処理を実行する。
【００８７】
また、例えば、各アイコン１３０１〜１３０４が表示されているとき、ＮＦＣ通信の処理が開始された場合、表示部１１５０は、ＮＦＣ通信の内容に応じて外部機器１１００が行う動作に合わせて表内容を変更する。
【００８８】
例えば、ＮＦＣ通信を利用して外部機器１１００がリーダライタ装置１００を介して携帯端末１５０ａと通信を行い、携帯端末１５０ａが保持している音楽データを外部機器１１００が再生する場合、表示部１１５０は、曲に関する情報、または、再生・停止などのメニュー画面を表示する。
【００８９】
なお、この場合、外部機器１１００は、携帯端末１５０ａに記憶されている音楽データを再生するためのアプリケーションソフトが予めインストールされているものとする。
【００９０】
なお、外部機器１１００と携帯端末１５０とがリーダライタ装置１００を介して通信するデータが、容量が大きく、データ伝送速度の観点からＮＦＣ通信で扱うに適さない容量の場合は、他の通信方法を併用してもよい。他の通信方法は、例えば、Ｂｌｕｔｏｏｔｈ（登録商標）、ＷｉＦｉ（登録商標）、または、有線の専用線などがある。
【００９１】
以上説明したように、本実施の形態のリーダライタ装置１００、携帯端末１５０、および外部機器１１００によれば、上面プレート１０１に載置された複数の携帯端末１５０ａ〜ｅごとに、ＮＦＣ通信を実行することができる。
【００９２】
また、図３、図５〜図７を用いて説明した構成例によれば、車輌の同乗者が所有する複数の携帯端末（およびそれらに記憶されたデータ）を集中的に１箇所で操作することができるため、利便性を向上させることができる。
【００９３】
また、本実施の形態のリーダライタ装置１００は、携帯端末１５０のアンテナコイル２５１の位置検出に用いるとともに、携帯端末１５０とＮＦＣ通信する際にも利用する。なおかつ、リーダライタ装置１００は、複数のアンテナコイル２０１を適宜切り替えて、複数の携帯端末１５０のアンテナコイル２５１の位置をそれぞれ検出し、記憶する。
【００９４】
このような構成により、リーダライタ装置１００は、複数の携帯端末１５０に記録されたデータを集中的に制御することができ、利便性が向上する。
【００９５】
なお、近距離無線通信（ＮＦＣ通信）で使用する搬送波は１３．５６ＭＨｚに限られることなく、本実施の形態のリーダライタ装置１００は、電磁誘導を利用して通信を行う機器のアンテナに適応できる。
【産業上の利用可能性】
【００９６】
本発明は、無線通信機能を備えた機器と無線通信を行う装置に適用可能である。具体的には、携帯電話またはスマートフォンなどの無線端末装置と通信を行うリーダライタ装置として有用である。
【符号の説明】
【００９７】
１００  リーダライタ装置
１０１  上面プレート
１５０、１５０ａ、１５０ｂ、１５０ｃ、１５０ｄ、１５０ｅ  携帯端末
２０１、２０１ａ１、２０１ａ２、２０１ａ３、２０１ａ４、２５１  アンテナコイル
２０２、２５３  ＮＦＣ制御回路
２０３  記憶部
２０４  切替部
２０５  電源回路
２０６  外部機器接続部
２５４  二次電池
１１００  外部機器
１１１０  接続部
１１２０  制御部
１１３０  記憶部
１１４０  操作部
１１５０  表示部
【図１】
2014164745.tif 000003
【図２】
2014164745.tif 000004
【図３】
2014164745.tif 000005
【図４】
2014164745.tif 000006
【図５】
2014164745.tif 000007
【図６】
2014164745.tif 000008
【図７】
2014164745.tif 000009